(57)【要約】【課題】太陽電池の架台を支柱に固定した支柱体であって、コストの低減及び施工性の向上を図ることができる支柱体を提供する。【解決手段】支柱３と、支柱３の上端７に上方から取り付けるキャップ２１と、支柱３に取り付ける太陽電池取付用の架台５とを備え、架台５は上端面とキャップ２１との間に挟む上板１１と、支柱３の貫通孔１９を有し且つ上板１１の下方に間隔をあけて配置した下板１３と、上板１１と下板１３とを繋ぐ連結部１４とからなり、連結部１４の少なくとも一部に設けた傾斜面１５に太陽電池２０を取り付け、キャップ２１と上板１１を上方から螺合するネジ４５で支柱３の上端７に固定した。【選択図】　図１
2004047120.tif 000002
【特許請求の範囲】
【請求項１】
支柱と、支柱の上端に上方から取付けるキャップと、支柱に取り付ける太陽電池取付用の架台とを備え、架台は、支柱の上端面とキャップとの間に挟む上板と、支柱の貫通孔を有し且つ上板の下方に間隔をあけて配置した下板と、上板と下板とを繋ぐ連結部とからなり、連結部の少なくとも一部が傾斜面であり、傾斜面に太陽電池を取り付け、キャップと上板を上方から螺合するネジで支柱の上端に固定してあることを特徴とする支柱体。
【発明の詳細な説明】
【０００１】
【発明の属する技術分野】
本発明は、太陽電池を備えた支柱体に関するものである。
【０００２】
【従来の技術】
かかる支柱体として、太陽電池を支柱の上部に設けたものが公知である。この従来の支柱体では、太陽電池を取り付けた架台を支柱の上端に設けたキャップの上部に専用の取付具で固定していた。
【０００３】
【発明が解決しようとする課題】
しかし、上述の従来の技術では、太陽電池を備えた架台を支柱に取り付ける際に、別途専用の取付具が必要である為、コスト高になるという問題点があった。また、専用の取付具をキャップの上部に取り付けるので、キャップに強度が要求されるとともに、取付具の固定作業が必要になるので施工性に劣るという問題点があった。
本発明は、太陽電池の架台を支柱に固定した支柱体であって、コストの低
減及び施工性の向上を図ることができる支柱体を提供することを目的とする。
【０００４】
【課題を解決するための手段】
請求項１に記載の発明は、支柱と、支柱の上端に上方から取付けるキャップと、支柱に取り付ける太陽電池取付用の架台とを備え、架台は、支柱の上端面とキャップとの間に挟む上板と、支柱の貫通孔を有し且つ上板の下方に間隔をあけて配置した下板と、上板と下板とを繋ぐ連結部とからなり、連結部の少なくとも一部が傾斜面であり、傾斜面に太陽電池を取り付け、キャップと上板を上方から螺合するネジで支柱の上端に固定してあることを特徴とする。
【０００５】
この請求項１に記載の発明では、太陽電池を取り付けた架台を支柱に組み付けるには、支柱の上端とキャップとの間に架台の上板を挟むようにして支柱の上端に上板とキャップとを重ね、キャップの上方からネジを支柱の上端に螺合してキャップと上板とを支柱に固定する。
支柱の上端とキャップとの間で架台の上板を挟んで固定するので、専用の取付具が別途必要とならず、コストの削減を図ることができる。
キャップの固定ネジを締め付けるだけで架台を支柱に固定できるので、別に架台の取り付け具による取り付け作業を必要とせず、少ない工数で組み立てることができ、施工性の向上を図ることができる。
【０００６】
【発明の実施の形態】
以下に本発明の実施の形態を図面に基づいて詳細に説明する。
図１は、本発明の実施の形態に係る支柱体の側面図、図２は図１に示す支柱体の架台及びその取り付け部分の正面図、図３は図１のＢ−Ｂ断面図、図４は図２の架台及びその取り付け部分の背面図、図５は図１に示す支柱のＡ−Ａ断面図である。尚、図１で抜き出して示しているのは、図２のＣ−Ｃ断面図であり、図３で抜き出して示しているのは、上板においてキャップの下にある部分の平面図である。
本実施の形態に係る支柱体１は、主に公園や広場等に設置されるものであり、昼間は太陽光エネルギーを蓄電して夜間は照明として用いるものである。支柱体１は地面１００に立設された支柱３と、支柱３の上端７に上方から取り付けたキャップ２１と、支柱３に取り付けた太陽電池取付用の架台５とを備えている。また支柱３には、架台５の下側に照明灯３５が設けられており、架台５の上側には風力発電装置３３の補助支柱３１がキャップ２１に挿通して取り付けられている。
支柱３の上端７には、その周囲に沿ってキャップ取付用の複数のネジ孔５５が設けられており、支柱３のネジ孔５５、キャップ２１のネジ挿通孔５１及び上板１１のネジ挿通孔５３が周方向で位置合わせできるように設けられている。
支柱３の上端７は、支柱３の内部に設けられたスリーブ３７であり、六角ボルト４３で支柱３に固定されている。尚、スリーブ３７の内側には風力発電装置３３の補助支柱３１の下端が挿入され、ネジ４７で固定されている。
架台５は、上板１１と、下板１３と、連結部１４とを備えており、連結部１４の一部が太陽電池２０を取り付ける傾斜面１５となっている。上板１１は、支柱３の上端７とキャップ２１とに挟まれて、支柱３の上端７に固定されている。上板１１、下板１３、連結部１４は、夫々溶接により連結されている。
太陽電池２０の傾斜面１５の左右側には上板１１と下板１３との間を塞ぐ側板１６が設けられており、架台５の内部が外から見えないようになっている。このように、架台５の内部を密閉することにより、太陽電池２０の配線は架台５の上板１１と下板１３との間の密閉空間に収納できるので、配線が外から見えず外観が良いと共に配線が風雨にさらされ難いので、電線の劣化を防止できる。
傾斜面１５は上部側から下部側に向けて斜め下方向に傾斜して設けられており、太陽電池２０が太陽光を効率よく受けられるようになっている。
上板１１には支柱３の上端７に載置される載置部１２が設けられており、載置部１２には周方向に複数のネジ挿通孔５３が設けられており、ネジ挿通孔５３は任意の角度だけ回転した位置でキャップ２１のネジ挿通孔５１と一致するようになっている。載置部１２の内周側には風力発電装置３３の補助支柱３１が挿通される貫通孔１７が設けられている。
下板１３には、支柱３の貫通孔１９が設けられており、支柱３の貫通孔１９から支柱３の上端部が挿入されるようになっている。
キャップ２１には略中央部に風力発電装置３３の補助支柱３１を挿通する貫通孔１８が設けられており、風力発電装置３３の補助支柱３１はキャップ２１を上下方向に挿通して支柱３に固定されている。また、キャップ２１の周囲部２３にはキャップ２１を支柱３の上端７に固定するためのネジ挿通孔５１が設けられている。
【０００７】
次に、本実施の形態にかかる支柱体の組立て及び作用について説明する。太陽電池２０を取り付ける架台５を支柱３に組み付ける場合には、支柱３の上端７に架台５の下板１３の貫通孔１９を挿入し、架台５の上板１１の下面に支柱３の上端７を当接させる。次に、架台５の上板１１の上にキャップ２１を置き、支柱３の上端７とキャップ２１との間に架台５の上板１１を挟むようにして重ね、支柱３の上端７のネジ孔５５、キャップ２１のネジ挿通孔５１及び上板１１のネジ挿通孔５３の位置を一致させ、キャップ２１の上方からネジ４１で螺合してキャップ２１と架台５の上板１１とを支柱３の上端７に固定する。これにより、支柱３に架台５を固定できる。
架台５を支柱３に取り付ける場合に、キャップ２１に上方からキャップ２１の固定ネジ４１で螺合することによりキャップ２１と上板１１とを支柱３の上端７に固定するので、支柱３と架台５とを取り付ける専用の取付具が別途必要とならず、コストの削減を図ることができる。
架台５の上板１１とキャップ２１とを支柱３の上端７に同一のネジで固定しているので、部品の点数を減らすことができるとともに少ない工数で組み立てることができ、施工性の向上を図ることができる。
また、太陽電池２０の架台５を支柱３に取り付ける場合に、キャップ２１の固定ネジ４１を止める前に、支柱３の軸回りに任意の角度まで回転させることで、キャップ２１のネジ挿通孔５１と上板１１のネジ挿通孔５３と支柱３のネジ孔５５を一致でき、施工場所に応じて位置調整を容易に行うことができ、太陽の光を効率よく受けることができる。
太陽電池２０の架台５を支柱３に取り付けた後も、キャップ２１の上部のネジ４１を外して、架台５を支柱３の軸回りに所定の角度まで回転させることで太陽電池２０の位置調整の再設定を容易に行うことができる。
【０００８】
本発明は、上述のようなの実施の形態に限定されず、その要旨を逸脱しない範囲内において種々の変形が可能である。例えば、本実施の形態では支柱３の上部に補助支柱３１を取り付け、補助部材３１の頂部に、風力発電装置３３を設けるようにしたが、補助支柱３１及び風力発電装置３３を設けないものでも良い。この場合には、架台５の上板１１及びキャップ２１には貫通孔１７、１８を設けなくても良い。
支柱３に照明灯３５を備える構成としたが、これに限定されず、照明灯３５の代わりに時計等の他の電気駆動機器を備えるものでも良いし、支柱３に照明灯３５等の電気駆動機器を設けずに、支柱３とは別途に設けた電気駆動機器に電力を供給するものでも良い。
支柱３の内部に設けられたスリーブ３７の上端が、上板１１の下面に当接するような構成としたが、スリーブ３７はなくてもよい。この場合には、支柱３の内周にキャップ２１の取り付けネジが螺合するネジ孔部を設けたり、支柱３の端面にネジ孔を形成する。
支柱体１はフェンスの支柱を兼ねるものでも良い。
連結部１４は、その全部を傾斜面として連結部１４の全部に太陽電池２０を取り付けても良い。また、連結部１４の全てを傾斜面としてその一部に太陽電池２０を取り付けるものであってもよい。
【０００９】
【発明の効果】
請求項１に記載の発明では、支柱の上端とキャップとの間で架台の上板を挟んで固定するので、専用の取付具が別途必要とならず、コストの削減を図ることができる。
キャップの固定ネジを締め付けるだけで架台を支柱に固定できるので、別に架台の取り付け具による取り付け作業を必要とせず、少ない工数で組み立てることができ、施工性の向上を図ることができる。
【図面の簡単な説明】
【図１】本発明の実施の形態に係る支柱体の側面図である。
【図２】図１に示す支柱体の架台及びその取り付け部分の正面図である。
【図３】図１のＢ−Ｂ断面図である。
【図４】図２の架台部分及びその取り付け部分の背面図である。
【図５】図１に示す支柱のＡ−Ａ断面図である。
【符号の説明】
１　　　　　支柱体
３　　　　　支柱
５　　　　　架台
７　　　　　上端
１１　　　　上板
１３　　　　下板
１４　　　　連結部
１５　　　　傾斜面
１９　　　　貫通孔
２０　　　　太陽電池
２１　　　　キャップ
４１　　　　ネジ
【図１】
2004047120.tif 000003
【図２】
2004047120.tif 000004
【図３】
2004047120.tif 000005
【図４】
2004047120.tif 000006
【図５】
2004047120.tif 000007